(57)【要約】【課題】フラットケーブルに起因して読取部による画像の読取品質が低下することを抑制できる画像読取装置を提供する。【解決手段】フラットケーブル５０は、第１伸長部５１と、第１伸長部５１に連続し、支持体８１に接近するように湾曲してベース部１０における副走査方向の他端側に向きを変える湾曲部５３と、湾曲部５３に連続し、ベース部１０における副走査方向の他端側に向けて延びて他端部５０Ｂに至る第２伸長部５２とを有する。画像読取装置１は、移動体２０に設けられ、フラットケーブル５０における第２伸長部５２の他端部５０Ｂ側にベース部１０側から当接し、第２伸長部５２の他端部５０Ｂ側を保持する第１保持部１１０と、フラットケーブル５０における第２伸長部５２の他端部５０Ｂ側に支持体８１側から当接し、第２伸長部５２の他端部５０Ｂ側を第１保持部１１０との間で挟む第２保持部１２０とを備える。【選択図】図６
2015195476.tif 000002
【特許請求の範囲】
【請求項１】
ベース部と、
前記ベース部に対して所定の間隔を有して支持され、前記ベース部とは反対側を向く面が原稿を支持する原稿支持面とされた支持体と、
前記ベース部と前記支持体との間に設けられ、主走査方向に延び、前記原稿支持面に支持されている原稿の画像を読み取る読取部と、
前記読取部を保持し、前記ベース部と前記支持体との間を前記主走査方向に直交する副走査方向に往復移動可能な移動体と、
一端部が前記ベース部に固定されるとともに、他端部が前記読取部に連結され、可撓性を有するフラットケーブルと、を備え、
前記フラットケーブルは、前記一端部に連続し、前記ベース部における前記副走査方向の一端側に向けて延びる第１伸長部と、前記第１伸長部に連続し、前記支持体に接近するように湾曲して前記ベース部における前記副走査方向の他端側に向きを変える湾曲部と、前記湾曲部に連続し、前記ベース部における前記副走査方向の他端側に向けて延びて前記他端部に至る第２伸長部とを有する画像読取装置であって、
前記移動体に設けられ、前記フラットケーブルにおける前記第２伸長部の前記他端部側に前記ベース部側から当接し、前記第２伸長部の前記他端部側を保持する第１保持部と、
前記フラットケーブルにおける前記第２伸長部の前記他端部側に前記支持体側から当接し、前記第２伸長部の前記他端部側を前記第１保持部との間で挟む第２保持部と、を備えていることを特徴とする画像読取装置。
【請求項２】
前記第１保持部と前記第２保持部との間に設けられ、前記第１保持部と前記第２保持部とを係合する係合部をさらに備えている請求項１記載の画像読取装置。
【請求項３】
前記係合部は、前記第１保持部に形成された第１係合部と、前記第２保持部に形成され、前記第１係合部と係合可能な第２係合部とを含んで構成されている請求項２記載の画像読取装置。
【請求項４】
前記第１係合部及び前記第２係合部の一方は、前記主走査方向及び前記副走査方向に直交する方向に延びる鍵爪を有し、
前記第１係合部及び前記第２係合部の他方は、前記鍵爪と係合可能に凹む第１凹部を有している請求項３記載の画像読取装置。
【請求項５】
前記第１保持部及び前記第２保持部は、前記読取部における前記主走査方向の一端側に設けられ、
前記第１係合部は、前記第１保持部における前記主走査方向の他端側に形成され、
前記第２係合部は、前記第２保持部における前記主走査方向の他端側に形成されている請求項４記載の画像読取装置。
【請求項６】
前記第１保持部と前記第２保持部とは別部材であり、
前記係合部は、前記第１保持部における前記主走査方向の一端側に形成された第３係合部と、前記第２保持部における前記主走査方向の一端側に形成され、前記第３係合部と係合可能な第４係合部とを含んで構成され、
前記第３係合部及び前記第４係合部の一方は、前記主走査方向に突出する凸部を有し、
前記第３係合部及び前記第４係合部の他方は、前記凸部と係合可能に前記主走査方向に凹む第２凹部を有している請求項５記載の画像読取装置。
【請求項７】
前記第１保持部の前記第１係合部側の端部には、前記第１係合部と前記第２係合部とが係合し、かつ前記第３係合部と前記第４係合部とが係合した状態で、前記第２保持部の前記第２係合部側の端部に当接可能な当接部が形成されている請求項６記載の画像読取装置。
【請求項８】
前記第２保持部における前記副走査方向の一端側の端縁には、前記副走査方向において前記読取部に対して前記第１保持部よりも離間し、かつ前記ベース部側に突出する延出部が形成されている請求項１乃至７のいずれか１項記載の画像読取装置。
【請求項９】
前記第２保持部における前記ベース部側を向く面には、前記第１保持部に向けて突出し、かつ、前記主走査方向に延び、前記第２伸長部の前記他端部側に当接可能なリブが形成されている請求項１乃至８のいずれか１項記載の画像読取装置。
【請求項１０】
前記フラットケーブルは、前記第２伸長部の前記他端部側から、前記ベース部における前記主走査方向の他端側に向けて屈曲され、次に、前記第２伸長部の前記他端部側と並んで前記ベース部における前記副走査方向の一端側に向けて延びる屈曲部を有し、
前記第１保持部は、前記フラットケーブルにおける前記屈曲部に前記ベース部側から当接し、前記屈曲部を保持し、
前記第２保持部は、前記フラットケーブルにおける前記屈曲部に前記支持体側から当接し、前記屈曲部を前記第１保持部との間で挟むように構成されている請求項１乃至９のいずれか１項記載の画像読取装置。
【請求項１１】
前記フラットケーブルは、前記屈曲部の一部であって、前記第２伸長部の前記他端部側と、前記屈曲部における前記副走査方向の一端側に延びる部分との間で、前記副走査方向の他端側に突出する突出部分を含み、
前記第１保持部には、前記突出部分を収容する収容部が形成されている請求項１０記載の画像読取装置。
【請求項１２】
前記支持体の外周縁を囲う枠体をさらに備え、
前記外周縁と前記枠体との間の少なくとも一部の範囲には、前記原稿支持面側と、前記支持体における前記原稿支持面とは反対側を向く裏面側とを連通させる隙間が形成され、
前記第２保持部は、前記第１保持部が前記隙間の近傍にある状態で、前記第１保持部と前記隙間との間に位置して、前記第１保持部を覆うように構成されている請求項１乃至１１のいずれか１項記載の画像読取装置。
【発明の詳細な説明】
【技術分野】
【０００１】
本発明は画像読取装置に関する。
【背景技術】
【０００２】
特許文献１に従来の画像読取装置の例が開示されている。この画像読取装置は、ベース部と支持体と読取部と移動体とフラットケーブルとを備えている。
【０００３】
ベース部は、底面を有する略箱形状の部材である。支持体は、ベース部の上部に、底面に対して所定の間隔を有して支持されている。支持体において、ベース部の底面とは反対側を向く面は、原稿を支持する原稿支持面とされている。読取部は、ベース部の底面と支持体との間に設けられている。読取部は、主走査方向に延び、移動体によって保持されている。移動体は、ベース部の底面と支持体との間を主走査方向に直交する副走査方向に往復移動可能である。フラットケーブルは、一端部がベース部に固定されるとともに、他端部が読取部に連結されている。フラットケーブルは、可撓性を有している。
【０００４】
より詳しくは、フラットケーブルは、第１伸長部と湾曲部と第２伸長部とを有している。第１伸長部は、一端部に連続し、ベース部における副走査方向の一端側に向けて延びる。湾曲部は、第１伸長部に連続し、支持体に接近するように湾曲してベース部における副走査方向の他端側に向きを変える。第２伸長部は、湾曲部に連続し、ベース部における副走査方向の他端側に向けて延びて他端部に至る。
【０００５】
また、この画像読取装置は、保持部を備えている。保持部は、移動体に設けられている。保持部は、フラットケーブルにおける第２伸長部の他端部側にベース部側から当接し、第２伸長部の他端部側を保持している。
【０００６】
この画像読取装置では、移動体が副走査方向に往復移動することにより、読取部が移動体とともに移動し、原稿支持面に支持されている原稿の画像を読み取る。この際、フラットケーブルは、移動体の往復移動により湾曲部が副走査方向に往復移動し、湾曲部の移動に伴って、第１伸長部及び第２伸長部の一方が短くなる一方、第１伸長部及び第２伸長部の他方が長くなる。こうして、この画像読取装置では、フラットケーブルが移動体の往復移動に追従し、読取部による画像の読取処理を妨げないようになっている。
【先行技術文献】
【特許文献】
【０００７】
【特許文献１】特開２０１２−３４１０６号公報
【発明の概要】
【発明が解決しようとする課題】
【０００８】
ところで、上記従来の画像読取装置では、フラットケーブルにおける第２伸長部の他端部側が保持部から離間しないように、例えば、第２伸長部の他端部側を両面テープ等の粘着手段によって保持部に貼り付ける場合がある。しかしながら、この場合、移動体の往復移動に追従するフラットケーブルの第２伸長部が押し引きされたり、湾曲部の復元力によって第２伸長部が支持体側に押されたりすることによって、粘着手段に負荷が作用し、第２伸長部の他端部側が保持部から剥がれるおそれがある。すると、フラットケーブルの第２伸長部が所望の位置からずれ易くなるので、フラットケーブルが支持体に擦れたり、移動体の往復移動を妨げたりする不具合が発生する可能性がある。その結果、この画像読取装置では、読取部による画像の読取品質が低下するおそれがある。
【０００９】
本発明は、上記従来の実情に鑑みてなされたものであって、フラットケーブルに起因して読取部による画像の読取品質が低下することを抑制できる画像読取装置を提供することを目的とする。
【課題を解決するための手段】
【００１０】
本発明の画像読取装置は、ベース部と、
前記ベース部に対して所定の間隔を有して支持され、前記ベース部とは反対側を向く面が原稿を支持する原稿支持面とされた支持体と、
前記ベース部と前記支持体との間に設けられ、主走査方向に延び、前記原稿支持面に支持されている原稿の画像を読み取る読取部と、
前記読取部を保持し、前記ベース部と前記支持体との間を前記主走査方向に直交する副走査方向に往復移動可能な移動体と、
一端部が前記ベース部に固定されるとともに、他端部が前記読取部に連結され、可撓性を有するフラットケーブルと、を備え、
前記フラットケーブルは、前記一端部に連続し、前記ベース部における前記副走査方向の一端側に向けて延びる第１伸長部と、前記第１伸長部に連続し、前記支持体に接近するように湾曲して前記ベース部における前記副走査方向の他端側に向きを変える湾曲部と、前記湾曲部に連続し、前記ベース部における前記副走査方向の他端側に向けて延びて前記他端部に至る第２伸長部とを有する画像読取装置であって、
前記移動体に設けられ、前記フラットケーブルにおける前記第２伸長部の前記他端部側に前記ベース部側から当接し、前記第２伸長部の前記他端部側を保持する第１保持部と、
前記フラットケーブルにおける前記第２伸長部の前記他端部側に前記支持体側から当接し、前記第２伸長部の前記他端部側を前記第１保持部との間で挟む第２保持部と、を備えていることを特徴とする。
【００１１】
本発明の画像読取装置では、第１保持部と第２保持部とを備えている。移動体に設けられた第１保持部は、フラットケーブルにおける第２伸長部の他端部側にベース部側から当接し、第２伸長部の他端部側を保持する。第２保持部は、フラットケーブルにおける第２伸長部の他端部側に支持体側から当接し、第２伸長部の他端部側を第１保持部との間で挟む。これにより、この画像読取装置では、移動体の往復移動に追従するフラットケーブルの第２伸長部が押し引きされたり、湾曲部の復元力によって第２伸長部が支持体側に押されたりしても、第２伸長部の他端部側が第１保持部と第２保持部とに保持される状態が維持される。このため、この画像読取装置では、フラットケーブルの第２伸長部が所望の位置からずれ難いので、フラットケーブルが支持体に擦れたり、移動体の往復移動を妨げたりする不具合が発生し難い。
【００１２】
したがって、本発明の画像読取装置では、フラットケーブルに起因して読取部による画像の読取品質が低下することを抑制できる。
【００１３】
本発明の画像読取装置は、第１保持部と第２保持部との間に設けられ、第１保持部と第２保持部とを係合する係合部をさらに備えていることが望ましい。この場合、この画像読取装置では、係合部により、フラットケーブルにおける第２伸長部の他端部側が第１保持部と第２保持部とに保持される状態を確実に維持できる。
【００１４】
係合部は、第１保持部に形成された第１係合部と、第２保持部に形成され、第１係合部と係合可能な第２係合部とを含んで構成されていることが望ましい。この構成によれば、係合部が第１保持部及び第２保持部とは別部材である場合と比較して、部品点数を削減できる。その結果、この画像読取装置では、製造コストの低廉化を実現できる。
【００１５】
第１係合部及び第２係合部の一方は、主走査方向及び副走査方向に直交する方向に延びる鍵爪を有していることが望ましい。また、第１係合部及び第２係合部の他方は、鍵爪と係合可能に凹む第１凹部を有していることが望ましい。この構成によれば、フラットケーブルにおける第２伸長部の他端部側を第１保持部と第２保持部とで挟む機構を、第１保持部に形成された第１係合部と、第２保持部に形成された第２係合部との係合により、簡易で精度良く行うことができる。
【００１６】
第１保持部及び第２保持部は、読取部における主走査方向の一端側に設けられていることが望ましい。そして、第１係合部は、第１保持部における主走査方向の他端側に形成されていることが望ましい。また、第２係合部は、第２保持部における主走査方向の他端側に形成されていることが望ましい。この構成によれば、第１係合部及び第２係合部の一方が有する鍵爪は、読取部における主走査方向の一端側から外側に張り出さない。このため、この画像読取装置では、主走査方向において装置の小型化を実現できる。
【００１７】
第１保持部と第２保持部とは別部材であることが望ましい。係合部は、第１保持部における主走査方向の一端側に形成された第３係合部と、第２保持部における主走査方向の一端側に形成され、第３係合部と係合可能な第４係合部とを含んで構成されていることが望ましい。そして、第３係合部及び第４係合部の一方は、主走査方向に突出する凸部を有しることが望ましい。また、第３係合部及び第４係合部の他方は、凸部と係合可能に主走査方向に凹む第２凹部を有していることが望ましい。この場合、フラットケーブルにおける第２伸長部の他端部側を第１保持部と第２保持部とで挟む際、第１係合部と第２係合部との係合、及び第３係合部と第４係合部との係合を同時に行うことができる。また、凸部は、鍵爪と比較して小さくできるので、主走査方向における装置の小型化を阻害し難い。
【００１８】
第１保持部の第１係合部側の端部には、第１係合部と第２係合部とが係合し、かつ第３係合部と第４係合部とが係合した状態で、第２保持部の第２係合部側の端部に当接可能な当接部が形成されていることが望ましい。この場合、この画像読取装置では、当接部により、第２保持部を第１保持部に対して精度よく位置決めできる。このため、この画像読取装置では、衝撃等の負荷が第２保持部に作用する場合でも、第２保持部が第１保持部に対してずれ難い。その結果、この画像読取装置では、フラットケーブルにおける第２伸長部の他端部側を第１保持部と第２保持部とで挟む状態を確実に維持できる。
【００１９】
第２保持部における副走査方向の一端側の端縁には、副走査方向において読取部に対して第１保持部よりも離間し、かつベース部側に突出する延出部が形成されていることが望ましい。この構成によれば、延出部は、フラットケーブルの第２伸長部を第１保持部と湾曲部との間で、支持体から離間する方向に撓ませるように作用する。これにより、この画像読取装置では、第２伸長部が支持体に接近し過ぎることを抑制できる。
【００２０】
第２保持部におけるベース部側を向く面には、第１保持部に向けて突出し、かつ、主走査方向に延び、第２伸長部の他端部側に当接可能なリブが形成されていることが望ましい。この構成によれば、第２保持部が平坦面によって第２伸長部の他端部側に当接する場合と比較して、第２伸長部の他端部側を第１保持部と第２保持部とで精度良く挟むことができる。
【００２１】
フラットケーブルは、第２伸長部の他端部側から、ベース部における主走査方向の他端側に向けて屈曲され、次に、第２伸長部の他端部側と並んでベース部における副走査方向の一端側に向けて延びる屈曲部を有していることが望ましい。このように、屈曲部を形成してフラットケーブルを配線することにより、ベース部内の限られたスペースにフラットケーブルを効率よく配線できる。そして、第１保持部は、フラットケーブルにおける屈曲部にベース部側から当接し、屈曲部を保持していることが望ましい。また、第２保持部は、フラットケーブルにおける屈曲部に支持体側から当接し、屈曲部を第１保持部との間で挟むように構成されていることが望ましい。この構成によれば、第２伸長部の他端部側と、支持体側に向かって浮き上がり易い屈曲部とを１組の第１保持部及び第２保持部によって保持できる。
【００２２】
フラットケーブルは、屈曲部の一部であって、第２伸長部の他端部側と、屈曲部における副走査方向の一端側に延びる部分との間で、副走査方向の他端側に突出する突出部分を含んでいることが望ましい。そして、第１保持部には、突出部分を収容する収容部が形成されていることが望ましい。この構成によれば、フラットケーブルの突出部分が収容部に収容されることにより、第２伸長部の他端部側と屈曲部とが第１保持部に仮止めされる。このため、この画像読取装置では、第２伸長部の他端部側と屈曲部とを第１保持部と第２保持部とで挟んで保持する工程において、第２伸長部の他端部側と屈曲部とが第１保持部及び第２保持部に対してずれ難い。
【００２３】
本発明の画像読取装置は、支持体の外周縁を囲う枠体をさらに備えていることが望ましい。外周縁と枠体との間の少なくとも一部の範囲には、原稿支持面側と、支持体における原稿支持面とは反対側を向く裏面側とを連通させる隙間が形成されていることが望ましい。そして、第２保持部は、第１保持部が隙間の近傍にある状態で、第１保持部と隙間との間に位置して、第１保持部を覆うように構成されていることが望ましい。
【００２４】
この場合、この画像読取装置では、静電気の放電スパークが原稿支持面側から隙間を経由して裏面側に侵入するおそれがある。ここで、この画像読取装置では、第１保持部が隙間の近傍にある状態で、第２保持部が第１保持部と隙間との間に位置して、第１保持部を覆う。このため、この画像読取装置では、放電スパークが第１保持部と第２保持部とに保持された第２伸長部の他端部側に到達することを第２保持部によって抑制できる。その結果、この画像読取装置では、静電気の放電スパークによってフラットケーブルに接続された電子機器が損傷することを抑制できる。
【図面の簡単な説明】
【００２５】
【図１】実施例の画像読取装置の斜視図である。
【図２】実施例の画像読取装置の模式正面図である。
【図３】実施例の画像読取装置に係り、プラテンガラス及び枠体を示す上面図である。
【図４】実施例の画像読取装置に係り、プラテンガラスを取り除いた状態のベース部、読取センサ、キャリッジ、フラットケーブル及び第１、２保持部を示す上面図である。
【図５】実施例の画像読取装置に係り、プラテンガラスを取り除いた状態のベース部、読取センサ、キャリッジ、フラットケーブル及び第１、２保持部を示す部分斜視図である。
【図６】実施例の画像読取装置に係り、図４のＡ−Ａ断面を示す部分断面図である。
【図７】実施例の画像読取装置に係り、図４のＢ−Ｂ断面を示す部分断面図である。
【図８】実施例の画像読取装置に係り、プラテンガラス及び第２保持部を取り除いた状態のベース部、読取センサ、キャリッジ、フラットケーブル及び第１保持部を示す部分斜視図である。
【図９】実施例の画像読取装置に係り、プラテンガラス、第２保持部及びフラットケーブルを取り除いた状態のベース部、読取センサ、キャリッジ及び第１保持部を示す部分斜視図である。
【図１０】実施例の画像読取装置に係り、第２保持部の斜視図である。
【図１１】実施例の画像読取装置に係り、第２保持部の斜視図である。
【発明を実施するための形態】
【００２６】
以下、本発明を具体化した実施例を図面を参照しつつ説明する。
【００２７】
（実施例）
図１に示すように、実施例の画像読取装置１は、本発明の画像読取装置の具体的態様の一例である。図１では、操作パネル８Ｐが設けられた側を装置の前側と規定し、操作パネル８Ｐに向かった場合に左手に来る側を左側と規定して、前後、左右及び上下の各方向を表示する。そして、図２以降の各図に示す各方向は、全て図１に示す各方向に対応させて表示する。以下、図１等に基づいて、画像読取装置１が備える各構成要素について説明する。
【００２８】
＜構成＞
図１及び図２に示すように、画像読取装置１は、本体部８、開閉部９、画像形成ユニット５、読取ユニット３、及び搬送部４を備えている。本体部８は、扁平な略箱状体である。図１に示すように、本体部８の前面には、タッチパネル等である操作パネル８Ｐが設けられている
【００２９】
図２に示すように、読取ユニット３は、本体部８内の上側部分に位置している。画像形成ユニット５は、本体部８内の下側部分に収容されている。画像形成ユニット５は、インクジェット方式又はレーザ方式等によりシートに画像を形成する。
【００３０】
図３〜図７に示すように、読取ユニット３は、ベース部１０とプラテンガラス８１と枠体８９とを有している。図３に示すように、プラテンガラス８１は、読取ユニット３の上面に配設されている。枠体８９は、プラテンガラス８１の外周縁８１Ｅを囲っている。枠体８９には、第１開口８９Ａと第２開口８９Ｂとが形成されている。第１開口８９Ａは、大きな矩形状をなして開口している。第２開口８９Ｂは、第１開口８９Ａの左側に位置し、前後方向に細長い矩形状をなして開口している。そして、ベース部１０と枠体８９とにより、プラテンガラス８１を上下方向から挟み込むように保持している。
【００３１】
プラテンガラス８１の上面には、原稿支持面８１Ａと読取面８１Ｂとが形成されている。原稿支持面８１Ａは、プラテンガラス８１の上面のうち、第１開口８９Ａによって露出する部分である。原稿支持面８１Ａは、静止した状態の原稿の画像を読取ユニット３が読み取る際に、その原稿を下側から支持する。読取対象の原稿には、用紙、ＯＨＰシート等であるシートの他、書籍等が含まれる。読取面８１Ｂは、プラテンガラス８１の上面のうち、第２開口８９Ｂによって露出する部分である。読取面８１Ｂは、搬送部４によって１枚ずつ搬送されるシートの画像を読取ユニット３が読み取る際に、その搬送されるシートを下側から案内する。
【００３２】
図１に示すように、開閉部９は、本体部８の後面側上端縁に配設された図示しないヒンジによって、左右方向に延びる開閉軸心Ｘ９周りで揺動可能に支持されている。開閉部９は、図１に実線で示す閉じた状態では、原稿支持面８１Ａを上方から覆っている。開閉部９は、図１に二点鎖線で示すように、その前端部側が上方かつ後方に変位するように開閉軸心Ｘ９周りで揺動することにより、原稿支持面８１Ａを露出させる開放位置に変位する。これにより、ユーザは読取対象の原稿を原稿支持面８１Ａに支持させることができる。
【００３３】
図１及び図２に示すように、開閉部９の上側には、供給トレイ９Ａが開閉可能に設けられている。また、開閉部９内には、搬送部４が配設されている。搬送部４は、開いた状態の供給トレイ９Ａに支持される複数枚のシートを１枚ずつ分離し、搬送経路Ｐ１に沿って順次搬送する。
【００３４】
図３〜図９に示すように、読取ユニット３は、さらに、読取センサ３Ｓ、キャリッジ２０、及びフラットケーブル５０等を有して構成されている。読取センサ３Ｓは、本発明の「読取部」の一例である。キャリッジ２０は、本発明の「移動体」の一例である。
【００３５】
図４〜図９に示すように、ベース部１０は、熱可塑性樹脂の射出成形品である。ベース部１０には、底壁面１１及び周壁１２Ａ、１２Ｂ、１２Ｌ、１２Ｒ等が形成され、略箱形状をなしている。
【００３６】
図４に示すように、底壁面１１は、略水平に延在する略矩形平面である。周壁１２Ａ、１２Ｂ、１２Ｌ、１２Ｒはそれぞれ、底壁面１１の前後左右の端縁から上方に向けて突出している。後側の周壁１２Ｂは、側壁１３と外壁１４とを有している。側壁１３は、左右方向に延びている。外壁１４は、側壁１３に対して後側に位置し、側壁１３と平行に左右方向に延びている。側壁１３と外壁１４との間には、開閉部９を揺動可能に支持する図示しないヒンジ等が配設されている。前側の周壁１２Ａ、側壁１３、左側の周壁１２Ｌ、及び右側の周壁１２Ｒは、底壁面１１を囲うことにより、その内側に収容領域１０Ａを形成している。収容領域１０Ａには、読取センサ３Ｓ、キャリッジ２０、フラットケーブル５０及び走査機構３０が収容されている。つまり、読取センサ３Ｓ、キャリッジ２０、フラットケーブル５０及び走査機構３０は、ベース部１０とプラテンガラス８１との間に設けられている。
【００３７】
図３、図６及び図７に示すように、プラテンガラス８１は、前側の周壁１２Ａ、側壁１３、左側の周壁１２Ｌ、及び右側の周壁１２Ｒによって外周縁８１Ｅが下側から支持された状態で、枠体８９が外周縁８１Ｅに対して上側から当接しつつ、ベース部１０に組み付けられることにより、本体部８に固定されている。図６及び図７に示すように、プラテンガラス８１は、所定の間隔を有して底壁面１１に対向するとともに、収容領域１０Ａを上方から覆っている。プラテンガラス８１の原稿支持面８１Ａは、ベース部１０の底壁面１１とは反対側を向く面である。
【００３８】
図４に示すように、底壁面１１上には、ガイドレール２９が配設されている。ガイドレール２９は、底壁面１１における前後方向の略中央に位置して、左右方向に延びている。ガイドレール２９の左端は、左側の周壁１２Ｌの下部に固定されている。ガイドレール２９の右端は、右側の周壁１２Ｒの下部に固定されている。
【００３９】
ガイドレール２９が延びる左右方向は、本発明の「副走査方向」の一例である。副走査方向の一端側は左側である。副走査方向の他端側は右側である。ベース部１０の左側の周壁１２Ｌ側、すなわち、ベース部１０の左端側は、本発明の「ベース部における副走査方向の一端側」の一例である。ベース部１０の右側の周壁１２Ｒ側、すなわち、ベース部１０の右端側は、本発明の「ベース部における副走査方向の他端側」の一例である。
【００４０】
図４〜図９に示すように、キャリッジ２０は、前後方向に細長い樹脂製部材である。キャリッジ２０は、前側の周壁１２Ａ及び後側の側壁１３の近傍まで延びている。キャリッジ２０は、ガイドレール２９に案内されることにより、底壁面１１の上側で、左側の周壁１２Ｌの近傍から右側の周壁１２Ｒの近傍まで左右方向に往復動可能となっている。
【００４１】
図２〜図９に示すように、読取センサ３Ｓは、キャリッジ２０に保持されている。読取センサ３Ｓは、収容領域１０Ａ内でプラテンガラス８１に下側から対向するようにキャリッジ２０に支持されている。読取センサ３Ｓは、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサである。読取センサ３Ｓは、前後方向に延びている。読取センサ３Ｓは、原稿支持面８１Ａに載置される原稿（本装置が読取可能とする最大サイズの原稿）の前後幅を越える程度の長さを有している。
【００４２】
読取センサ３Ｓが延びる前後方向は、本発明の「主走査方向」の一例である。主走査方向の一端側は後側である。主走査方向の他端側は前側である。ベース部１０の後側の周壁１２Ｂ側、すなわち、ベース部１０の後端側は、本発明の「ベース部における主走査方向の一端側」の一例である。ベース部１０の前側の周壁１２Ａ側、すなわち、ベース部１０の前端側は、本発明の「ベース部における主走査方向の他端側」の一例である。主走査方向と副走査方向とは直交している。主走査方向及び副走査方向に直交する方向は、上下方向である。
【００４３】
図４〜図８に示すように、フラットケーブル５０は、複数本の被覆電線が帯状に接続されてなり、可撓性を有している。図４に示すように、フラットケーブル５０の一端部５０Ａ側は、収容領域１０Ａ内で底壁面１１に固定されている。フラットケーブル５０の一端部５０Ａ側は、右側の周壁１２Ｒに近い位置で、側壁１３に対して前側から隣接している。フラットケーブル５０は、一端部５０Ａ側から側壁１３と外壁１４との間を通過するように延びて、本体部８内に設けられた図示しない制御部に電気的に接続されている。図６及び図７に示すように、フラットケーブル５０は、その他端部５０Ｂ側がキャリッジ２０に保持され、その先において、コネクタ３Ｃを介して読取センサ３Ｓと電気的に接続されている。
【００４４】
より詳しくは、図４〜図８に示すように、フラットケーブル５０は、第１伸長部５１と、湾曲部５３と、第２伸長部５２と、屈曲部５４とを有している。
【００４５】
図４及び図６に示すように、第１伸長部５１は、底壁面１１に固定されたフラットケーブル５０の一端部５０Ａ側から、底壁面１１に沿って、ベース部１０の左端側に向かって延びている。湾曲部５３は、第１伸長部５１に連続し、プラテンガラス８１に接近するように半円弧状に湾曲し、ベース部１０の右端側に向きを変えている。第２伸長部５２は、湾曲部５３に連続し、プラテンガラス８１に沿って、ベース部１０の右端側に向かって延びている。第２伸長部５２は、屈曲部５４を介して、フラットケーブル５０の他端部５０Ｂに至る。第２伸長部５２の他端部５０Ｂ側は、本実施例では、第２伸長部５２の右端側である。
【００４６】
図８に示すよう、屈曲部５４は、第２伸長部５２の右端側からベース部１０の前端側に向けて屈曲され、次に、ベース部１０の左端側に向けて屈曲されて、第２伸長部５２の右端側と並んでベース部１０の左端側に向けて延びている。屈曲部５４は、その後、下向きに湾曲して、ベース部１０の右端側に向きを変え、フラットケーブル５０の他端部５０Ｂまで延びている。
【００４７】
図６及び図８に示すように、フラットケーブル５０は、屈曲部５４の一部である突出部分５４Ｂを含んでいる。突出部分５４Ｂは、第２伸長部５２の右端側と、屈曲部５４における左側に延びる部分５４Ａとの間で、右側に突出している。
【００４８】
図５及び図６に示すように、フラットケーブル５０が可撓性を有することにより、湾曲部５３は復元力を蓄えつつ湾曲している。フラットケーブル５０は、この湾曲部５３の復元力により、第１伸長部５１が底壁面１１に向かって付勢され、第２伸長部５２がプラテンガラス８１に向かって付勢されている。このため、第２伸長部５２の右端側に負荷が作用し易い。特に、画像読取装置１の薄型化を図るために、ベース部１０とプラテンガラス８１との上下方向の間隔が小さくされている場合、湾曲部５３の曲率が小さくなる。この場合、湾曲部５３の復元力が大きくなって、第２伸長部５２の右端側に作用する負荷が大きくなり易い。
【００４９】
図４に示すように、走査機構３０は、駆動源３０Ｍ、駆動プーリ３１、従動プーリ３２及びタイミングベルト３３を有している。
【００５０】
駆動源３０Ｍは、電動モータと、その電動モータに噛み合う複数個のギヤ群とからなる。駆動源３０Ｍは、左側の周壁１２Ｌに隣接し、かつ、ガイドレール２９の左端の近傍に位置している。駆動源３０Ｍは、図示しない制御部に制御されて回転する。
【００５１】
図４に破線で示す駆動プーリ３１は、駆動源３０Ｍのギヤ群のうち、電動モータから最も離れたギヤに一体成形されている。駆動プーリ３１は、左側の周壁１２Ｌに隣接し、かつ、ガイドレール２９の左端に対して、後側に位置している。駆動プーリ３１は、上下方向に延びる軸心周りに回転可能となっている。
【００５２】
従動プーリ３２は、右側の周壁１２Ｒに隣接し、かつ、ガイドレール２９の右端に対して、後側に位置している。従動プーリ３２は、上下方向に延びる軸心周りに回転可能となっている。
【００５３】
タイミングベルト３３は、駆動プーリ３１と従動プーリ３２とに巻き掛けられた無端ベルトである。タイミングベルト３３におけるガイドレール２９に沿いながら左右方向に延びる部分は、連結部３３Ａによってキャリッジ２０と連結されている。
【００５４】
駆動プーリ３１が正回転又は逆回転すると、タイミングベルト３３の連結部３３Ａが左側から右側に、又は右側から左側に移動する。これにより、キャリッジ２０も左側から右側に、又は右側から左側に移動する。こうして、キャリッジ２０と、キャリッジ２０に搭載された読取センサ３Ｓとは、駆動プーリ３１の正回転及び逆回転により、収容領域１０Ａ内を左右方向に往復動可能となっている。
【００５５】
キャリッジ２０が左側から右側に移動する際、フラットケーブル５０の第２伸長部５２がキャリッジ２０に引っ張られるので、湾曲部５３がベース部１０の右端側に向かって移動し、第１伸長部５１が短くなり、第２伸長部５２が長くなる。その一方、キャリッジ２０が右側から左側に移動する際、フラットケーブル５０の第２伸長部５２がキャリッジ２０に押されるので、湾曲部５３がベース部１０の左端側に向かって移動し、第１伸長部５１が長くなり、第２伸長部５２が短くなる。こうして、フラットケーブル５０は、キャリッジ２０の往復動に追従し、読取センサ３Ｓによる画像の読取処理を妨げないようになっている。
【００５６】
図４〜図１１に示すように、画像読取装置１は、フラットケーブル５０における第２伸長部５２の右端側及び屈曲部５４をキャリッジ２０に保持させるため、第１保持部１１０、第２保持部１２０、第１係合部１１１、第２係合部１２２、第３係合部１１３及び第４係合部１２４を備えている。第１係合部１１１、第２係合部１２２、第３係合部１１３及び第４係合部１２４は、本発明の「係合部」の一例である。
【００５７】
図６〜図９に示すように、第１保持部１１０は、キャリッジ２０の後端側に一体成形されている。第２保持部１２０は、第１保持部１１０とは別部材の樹脂成形品である。第２保持部１２０は、第１係合部１１１、第２係合部１２２、第３係合部１１３及び第４係合部１２４によって、第１保持部１１０と係合されることにより、キャリッジ２０の後端側で、第１保持部１１０に対向する位置に装着される。
【００５８】
図６及び図９に示すように、第１保持部１１０は、キャリッジ２０における読取センサ３Ｓを保持する位置に対して、左側に向けて突出している。第１保持部１１０は、第１保持面１１０Ａを有している。第１保持面１１０Ａは、キャリッジ２０に保持された読取センサ３Ｓの後端側に対して左側に離間する位置で、上下方向及び左右方向に延在する上向きの平坦面である。第１保持面１１０Ａは、読取センサ３Ｓの主走査方向に沿って、前後方向に長い矩形状とされている。
【００５９】
図６〜図８に示すように、第１保持部１１０は、第１保持面１１０Ａによって、フラットケーブル５０における第２伸長部５２の右端側及び屈曲部５４に、下側から、すなわち、ベース部１０側から当接し、第２伸長部５２の右端側及び屈曲部５４を保持する。
【００６０】
図６、図８及び図９に示すように、第１保持部１１０には、収容部１１９が形成されている。収容部１１９は、第１保持面１１０Ａから右側に延設される面と、その面に対してフラットケーブル５０の突出部５４Ｂを収容できる間隔を有して配設される押さえ部１１９Ａとによって形成される開口部である。なお、押さえ部１１９Ａは、第１保持部１１０に一体形成される。収容部１１９は、第１保持面１１０Ａの左端から右方向に向かって挿入されるフラットケーブル５０の突出部分５４Ｂを収容する。
【００６１】
図８及び図９に示すように、第１保持部１１０において、第１保持面１１０Ａより左側には、スペーサ１１８が形成されている。スペーサ１１８は、第１保持面１１０Ａの前後方向の略中央に形成され、上側に向けてリブ状に突出している。スペーサ１１８は、第２伸長部５２の右端側と屈曲部５４との前後方向の間隔を維持し、第１保持面１１０Ａ上における、第２伸長部５２の右端側、及び屈曲部５４の位置ずれを抑制する。
【００６２】
図５及び図７〜図９に示すように、第１保持部１１０において、第１保持面１１０Ａの前端側には、第１係合部１１１が形成されている。第１係合部１１１は、第１保持面１１０Ａの前端から前方下向きに延びる壁部１１０Ｅを含んでいる。この壁部１１０Ｅは、左右方向の両端を残して中央部が切り欠かれている。壁部１１０Ｅの前端には壁部１１１Ａが形成されている。壁部１１１Ａは、上下方向に延設される壁であり、上端が開放された略Ｕ字形状をなしている。第１係合部１１１は、壁部１１１Ａの左右の両端部と壁部１１０Ｅの切り欠かれた部分の左右の両端部とが連結しており、その間に、上下方向に貫通する一つの開口部１１１Ｂを有している。開口部１１１Ｂは、本発明の「第１凹部」の一例である。なお、第１係合部１１１は、第１保持部１１０に一体形成される。
【００６３】
図７〜図９に示すように、第１保持部１１０において、第１保持面１１０Ａの後端側には、第３係合部１１３が形成されている。第３係合部１１３は、第１保持面１１０Ａの後端縁から上向きに短く突出する壁部１１０Ｆを含んでいる。壁部１１０Ｆには、凹部１１３Ａが形成されている。凹部１１３Ａは、壁部１１０Ｆを前後方向において貫通する矩形穴である。凹部１１３Ａは、本発明の「第２凹部」の一例である。なお、第３係合部１１３は、第１保持部１１０に一体形成される。
【００６４】
第１保持部１１０において、第１保持面１１０Ａの前端側には、規制部１１５、１１５が形成されている。規制部１１５、１１５は、本発明の「当接部」の一例である。規制部１１５、１１５は、略Ｕ字形状をなす第１係合部１１１の壁部１１１Ａの上端によって形成されるリブであり、第１保持面１１０Ａの前端縁よりも上側に突出している。左側の規制部１１５と右側の規制部１１５とは、第１保持面１１０Ａから同じ距離だけ前方に離れた位置にあり、また、左右方向において、開口部１１１Ｂを挟む位置にある。
【００６５】
第２保持部１２０については、図４〜図７に示す第１保持部１１０と係合した状態における第２保持部１２０の姿勢を基準として、前後方向、上下方向、左右方向を説明する。
【００６６】
図１０及び図１１に示すように、第２保持部１２０は、前後方向及び左右方向に延在する板状体である。第２保持部１２０は、前後方向に長い矩形状とされている。
【００６７】
第２保持部１２０の前端側には、第２係合部１２２が形成されている。第２係合部１２２は、鍵爪１２２Ａを有している。鍵爪１２２Ａは、第２保持部１２０の前端縁から上下方向と略平行に延びて下向きに突出し、その下端部が前側に突出している。鍵爪１２２Ａは、その下端部が前後方向に変位するように撓み変形可能となっている。
【００６８】
第２保持部１２０の後端側には、第４係合部１２４が形成されている。第４係合部１２４は、凸部１２４Ａを有している。凸部１２４Ａは、第２保持部１２０の後端縁から後向きに突出する角柱体である。
【００６９】
第２保持部１２０の左端縁には、延出部１２６が形成されている。延出部１２６は、下向きに突出し、かつ前後方向にリブ状に延びている。
【００７０】
図１１に示すように、第２保持部１２０の下面には、複数のリブ１２７が左右方向に並んで形成されている。各リブ１２７は、下側、すなわち、第１保持部１１０側に向けて突出し、かつ、前後方向に延びている。
【００７１】
第２保持部１２０は、以下のようにして、第１保持部１１０に装着される。すなわち、図８に示すように、第１保持部１１０が第１保持面１１０Ａによって、下側からフラットケーブル５０における第２伸長部５２の右端側及び屈曲部５４に当接し、収容部１１９がフラットケーブル５０の突出部分５４Ｂを収容する状態において、第２保持部１２０を第１保持部１１０に接近するように下向きに移動させる。そして、図５〜図７に示すように、第２伸長部５２の右端側及び屈曲部５４を第１保持部１１０と第２保持部１２０とで挟む。
【００７２】
この際、第２保持部１２０を後側にずらす動作により、図７に示すように、第４係合部１２４の凸部１２４Ａを第３係合部１１３の凹部１１３Ａに嵌入させ、第２保持部１２０の後端縁を第１保持部１１０の壁部１１０Ｆに当て止める。
【００７３】
それと同時に、第２保持部１２０の前端側を下降させて、第２係合部１２２の鍵爪１２２Ａを第１係合部１１１の開口部１１１Ｂに進入させる。すると、鍵爪１２２Ａは、撓み変形しながら、第１保持部の壁部１１１Ａの下端部よりも下側に突出し、壁部１１１Ａの下端部に引っ掛かる。
【００７４】
こうして、第１係合部１１１と第２係合部１２２とが係合し、かつ第３係合部１１３と第４係合部１２４とが係合すると、図６及び図７に示すように、第２保持部１２０は、第１保持面１１０Ａに向かって突出する複数のリブ１２７によって、フラットケーブル５０における第２伸長部５２の右端側及び屈曲部５４に、上側から、すなわち、プラテンガラス８１側から当接し、第２伸長部５２の右端側及び屈曲部５４を第１保持部１１０の第１保持面１１０Ａとの間で挟む。
【００７５】
この状態において、規制部１１５、１１５は、図５及び図７に示すように、第２保持部１２０の第２係合部１２２側に位置する前端部に前側から当接し、第２保持部１２０の後側から前側に向かう移動を規制する。図６に示すように、延出部１２６は、読取センサ３Ｓに対して第１保持部１１０よりも左側に離間する位置で、ベース部１０側に突出する。これにより、延出部１２６は、フラットケーブル５０の第２伸長部５２を第１保持部１１０と湾曲部５３との間で、プラテンガラス８１から離間する方向に撓ませる。
【００７６】
図６に示すように、プラテンガラス８１の外周縁８１Ｅの一部である端面８１Ｆと、枠体８９の第２開口８９Ｂの一部である端面８９Ｆとの間に、隙間Ｓ１が形成されている。隙間Ｓ１は、プラテンガラス８１の原稿支持面８１Ａ側と、プラテンガラス８１における原稿支持面８１Ａとは反対側を向く裏面側とを連通させている。
【００７７】
図６に示すキャリッジ２０及び読取センサ３Ｓの位置は、待機位置である。キャリッジ２０及び読取センサ３Ｓが待機位置に停止した状態では、第１保持部１１０が隙間Ｓ１の近傍にある。この状態において、第２保持部１２０は、第１保持部１１０と隙間Ｓ１との間に位置して、第１保持部１１０（フラットケーブル５０における第２伸長部５２の右端側及び屈曲部５４）を覆う。
【００７８】
＜画像読取動作＞
この画像読取装置１では、原稿支持面８１Ａに載置された原稿を読み取る場合、走査機構３０が作動し、図２に示すように、キャリッジ２０に搭載された読取センサ３Ｓを読取ユニット３内における左端側から右端側に移動させる。これにより、読取センサ３Ｓは、原稿支持面８１Ａに載置された原稿の画像を読み取る。その後、走査機構３０は、読み取りを終えた読取センサ３Ｓを読取ユニット３内における右端側から左端側に移動させ、元の位置に復帰させる。
【００７９】
また、この画像読取装置１では、供給トレイ９Ａに支持される複数枚のシートの画像を読み取る場合、走査機構３０が作動し、キャリッジ２０に搭載された読取センサ３Ｓを読取ユニット３内における左端側に移動させ、読取面８１Ｂに下側から対向する位置である固定読取位置に停止させる。そして、搬送部４が供給トレイ９Ａに支持されるシートを搬送経路Ｐ１に沿って順次搬送すると、そのシートが固定読取位置にある読取センサ３Ｓの上側を通過するので、読取センサ３Ｓは、その通過するシートの画像を読み取る。
【００８０】
＜作用効果＞
実施例の画像読取装置１では、キャリッジ２０に設けられた第１保持部１１０は、フラットケーブル５０における第２伸長部５２の右端側及び屈曲部５４にベース部１０側から当接し、第２伸長部５２の右端側及び屈曲部５４を保持する。第２保持部１２０は、フラットケーブル５０における第２伸長部５２の右端側及び屈曲部５４にプラテンガラス８１側から当接し、第２伸長部５２の右端側及び屈曲部５４を第１保持部１１０との間で挟む。これにより、この画像読取装置１では、キャリッジ２０の往復移動に追従するフラットケーブル５０の第２伸長部５２が押し引きされたり、湾曲部５３の復元力によって第２伸長部５２がプラテンガラス８１側に押されたりしても、第２伸長部５２の右端側及び屈曲部５４が第１保持部１１０と第２保持部１２０とに保持される状態が維持される。
【００８１】
特に、この画像読取装置１では、第１係合部１１１の開口部１１１Ｂと、第２係合部１２２の鍵爪１２２Ａとが係合し、第３係合部１１３の凹部１１３Ａと、第４係合部１２４の凸部１２４Ａとが係合することにより、フラットケーブル５０における第２伸長部５２の右端側及び屈曲部５４が第１保持部１１０と第２保持部１２０とに保持される状態を確実に維持できる。
【００８２】
このため、この画像読取装置１では、フラットケーブル５０の第２伸長部５２及び屈曲部５４が所望の位置からずれ難いので、フラットケーブル５０がプラテンガラス８１に擦れたり、キャリッジ２０の往復移動を妨げたりする不具合が発生し難い。
【００８３】
したがって、実施例の画像読取装置１では、フラットケーブル５０に起因して読取センサ３Ｓによる画像の読取品質が低下することを抑制できる。
【００８４】
また、この画像読取装置１では、第１係合部１１１及び第３係合部１１３が第１保持部１１０に形成され、第２係合部１２２及び第４係合部１２４が第２保持部１２０に形成されている。このため、この画像読取装置１では、仮に第１保持部１１０及び第２保持部１２０とは別部材である係合部を採用し、その係合部によって第１保持部１１０と第２保持部１２０とが係合される場合と比較して、部品点数を削減できる。その結果、この画像読取装置１では、製造コストの低廉化を実現できる。
【００８５】
さらに、この画像読取装置１では、フラットケーブル５０における第２伸長部５２の右端側及び屈曲部５４を第１保持部１１０と第２保持部１２０とで挟む際、第２保持部１２０を第１保持部１１０に接近するように下向きに移動させ、かつ第２保持部１２０を後側にずらす動作により、第１係合部１１１の開口部１１１Ｂと、第２係合部１２２の鍵爪１２２Ａとの係合、及び第３係合部１１３の凹部１１３Ａと、第４係合部１２４の凸部１２４Ａとの係合を同時に行うことができる。また、この画像読取装置１では、フラットケーブル５０における第２伸長部５２の右端側及び屈曲部５４を第１保持部１１０と第２保持部１２０とで挟む機構を、第１保持部１１０に形成された開口部１１１Ｂと、第２保持部１２０に形成された鍵爪１２２Ａとの係合により、簡易で精度良く行うことができる。
【００８６】
また、この画像読取装置１では、図６及び図７に示すように、第２保持部１２０の前端側に形成された鍵爪１２２Ａは、読取センサ３Ｓの後端側よりも後側に張り出さない。一方、第２保持部１２０の後端側に形成された凸部１２４Ａは、鍵爪１２２Ａと比較して小さくできる。このため、この画像読取装置１では、前後方向において装置の小型化を実現できる。
【００８７】
さらに、この画像読取装置１では、図５及び図７に示すように、第１保持部１１０に形成された規制部１１５、１１５は、第１係合部１１１と第２係合部１２２とが係合し、かつ第３係合部１１３と第４係合部１２４とが係合した状態で、第２保持部１２０の第２係合部１２２側に位置する前端部に当接し、第２保持部１２０の後側から前側に向かう移動を規制する。これにより、第２保持部１２０は、第１保持部１１０に対して精度よく位置決めされる。このため、この画像読取装置１では、衝撃等の負荷が第２保持部１２０に作用する場合でも、第２保持部１２０が第１保持部１１０に対してずれ難い。その結果、この画像読取装置１では、フラットケーブル５０における第２伸長部５２の右端側及び屈曲部５４を第１保持部１１０と第２保持部１２０とで挟む状態を確実に維持できる。
【００８８】
また、この画像読取装置１では、図６及び図１１に示すように、第２保持部１２０の左端縁に形成された延出部１２６が第１保持部１１０より左側で、ベース部１０側に突出している。このため、延出部１２６は、フラットケーブル５０の第２伸長部５２を第１保持部１１０と湾曲部５３との間で、プラテンガラス８１から離間する方向に撓ませるように作用する。これにより、この画像読取装置１では、第２伸長部５２がプラテンガラス８１に接近し過ぎることを抑制できる。
【００８９】
さらに、この画像読取装置１では、図６、図７及び図１１に示すように、第２保持部１２０の下面に形成された複数のリブ１２７が第２伸長部５２の右端側及び屈曲部５４に確実に当接するので、第２伸長部５２の右端側及び屈曲部５４を第１保持部１１０と第２保持部１２０とで精度良く挟むことができる。
【００９０】
また、この画像読取装置１では、屈曲部５４を形成してフラットケーブル５０を配線することにより、ベース部１０内の限られたスペースにフラットケーブル５０を効率よく配線できる。そして、１組の第１保持部１１０及び第２保持部１２０によって、第２伸長部５２の右端側と、プラテンガラス８１側に向かって浮き上がり易い屈曲部５４とを確実に保持できる。また、この画像読取装置１では、図６及び図８に示すように、第１保持部１１０に形成された収容部１１９に、フラットケーブル５０の突出部分５４Ｂが収容されることにより、第２伸長部５２の右端側及び屈曲部５４が第１保持部１１０に仮止めされる。このため、この画像読取装置１では、第２伸長部５２の右端側及び屈曲部５４を第１保持部１１０と第２保持部１２０とで挟んで保持する工程において、第２伸長部５２の右端側及び屈曲部５４が第１保持部１１０及び第２保持部１２０に対してずれ難い。
【００９１】
さらに、この画像読取装置１では、図６に示すように、プラテンガラス８１の外周縁８１Ｅと枠体８９との間の少なくとも一部の範囲に、隙間Ｓ１が形成されている。このため、この画像読取装置１では、静電気の放電スパークが原稿支持面８１Ａ側から隙間Ｓ１を経由して裏面側に侵入するおそれがある。ここで、この画像読取装置１では、キャリッジ２０及び読取センサ３Ｓが待機位置に停止した状態で、第１保持部１１０が隙間Ｓ１の近傍にある。この状態で、第２保持部１２０は、第１保持部１１０と隙間Ｓ１との間に位置して、第１保持部１１０を覆う。このため、この画像読取装置１では、放電スパークが第１保持部１１０と第２保持部１２０とに保持された第２伸長部５２の右端側及び屈曲部５４に到達することを第２保持部１２０によって抑制できる。その結果、この画像読取装置１では、静電気の放電スパークによってフラットケーブル５０に接続された電子機器が損傷することを抑制できる。
【００９２】
以上において、本発明を実施例に即して説明したが、本発明は上記実施例に制限されるものではなく、その趣旨を逸脱しない範囲で適宜変更して適用できることはいうまでもない。
【００９３】
実施例では、第１係合部１１１及び第３係合部１１３が第１保持部１１０に形成され、第２係合部１２２及び第４係合部１２４が第２保持部１２０に形成されていたが、この構成には限定されない。例えば、第２係合部１２２及び第４係合部１２４の代わりに樹脂製のヒンジを第１保持部１１０及び第２保持部の後端側に一体成形してもよい。また、係合部は、第１保持部及び第２保持部とは別部材、例えば、止めネジ等であってもよい。また、実施例の鍵爪１２２Ａと同様の係合片を第１保持部から支持体側に向かって突出させ、実施例の開口部１１１Ｂと同様の開口部を第２保持部に形成し、その係合片とその開口部とが係合するようにしてもよい。また、実施例の凸部１２４Ａと同様の凸部を第１保持部から突出させ、実施例の凹部１１３Ａと同様の凹部を第２保持部に形成し、その凸部とその凹部とが係合するようにしてもよい。
【産業上の利用可能性】
【００９４】
本発明は画像読取装置、複合機等に利用可能である。
【符号の説明】
【００９５】
１…画像読取装置、１０…ベース部、８１…支持体（プラテンガラス）
８１Ａ…原稿支持面、３Ｓ…読取部（読取センサ）
２０…移動体（キャリッジ）、５０…フラットケーブル
５０Ａ…フラットケーブルの一端部、５０Ｂ…フラットケーブルの他端部
５１…第１伸長部、５２…第２伸長部、５３…湾曲部
１１０…第１保持部、１２０…第２保持部
１１１、１２２、１１３、１２４…係合部
１１１…第１係合部、１２２…第２係合部
１１３…第３係合部、１２４…第４係合部
１１１Ｂ…第１凹部（開口部）、１２２Ａ…鍵爪
１１３Ａ…第２凹部（凹部）、１２４Ａ…凸部
１１５…当接部（規制部）、１２６…延出部、１２７…リブ、５４…屈曲部
５４Ｂ…突出部分、５４Ａ…屈曲部における副走査方向の一端側に延びる部分
１１９…収容部、８１Ｅ…支持体の外周縁、８９…枠体
Ｓ１…原稿支持面側と裏面側とを連通させる隙間
【図１】
2015195476.tif 000003
【図２】
2015195476.tif 000004
【図３】
2015195476.tif 000005
【図４】
2015195476.tif 000006
【図５】
2015195476.tif 000007
【図６】
2015195476.tif 000008
【図７】
2015195476.tif 000009
【図８】
2015195476.tif 000010
【図９】
2015195476.tif 000011
【図１０】
2015195476.tif 000012
【図１１】
2015195476.tif 000013